【誤訳訂正書】
【提出日】平成24年12月12日(2012.12.12)
【誤訳訂正１】
【訂正対象書類名】特許請求の範囲
【訂正対象項目名】全文
【訂正方法】変更
【訂正の内容】
【特許請求の範囲】
【請求項１】
ＮＯX及び粒子状物質を含む排気流を処理するための排気処理システムであって、
フィルターを通って流れる排気流中に含まれる粒子状物質を捕捉するための複数の通路と  壁要素を有する基材、及び
フィルターより下流側に配置されたＮＯX還元触媒を有し、
前記基材が、壁流モノリスの状態であり、
該壁流モノリスは、縦方向に伸びる壁部によって境界付けられた、縦方向に伸びる通路を複数有し、
前記通路は、開口入口端と閉鎖出口端を有する入口通路、及び閉鎖入口端と開口出口端を有する出口通路を有し、
前記壁部は、多孔率が少なくとも４０％で、その平均孔径は、少なくとも５ミクロンであり、及び貴金属組成物が壁に浸透し、そして壁部の軸方向長さよりも短い長さで、入口端から出口端へと伸びて入口領域を形成しており、
前記基材の入口端は、貴金属組成物を、その上に配置した状態で有し、前記貴金属組成物は、３００℃未満の温度で、燃料に火を付け、及びフィルター内に捕捉された粒子状物質を積極的再生法によって定期的に燃焼処理させるために十分な発熱を発生させ、及び
前記貴金属組成物が、少なくとも５６６．３３７ｇ／Ｌの積載量で存在し、そして前記貴金属組成物の広がりは、前記フィルターの軸方向長さの５０％未満の範囲内であることを特徴とする排気処理システム。
【請求項２】
前記貴金属組成物が、少なくとも８４９．５０５ｇ／Ｌの積載量で存在し、そして前記フィルターの軸方向長さの５０％未満の範囲に広がっていることを特徴とする請求項１に記載の排気処理システム。
【請求項３】
前記貴金属組成物が、少なくとも１１３２．６７４ｇ／Ｌの積載量で存在し、そして前記フィルターの軸方向長さの５０％未満の範囲に広がっていることを特徴とする請求項１に記載の排気処理システム。
【請求項４】
縦方向に伸びる壁部が、触媒被覆物を、貴金属組成物の下側に有し、
前記触媒被覆物は、フィルターの軸方向長さの全体に伸びていることを特徴とする請求項１に記載の排気処理システム。
【請求項５】
前記触媒組成物が、卑金属酸化物を含むことを特徴とする請求項４に記載の排気処理システム。
【請求項６】
前記触媒組成物が、貴金属組成物を、５６６．３３７ｇ／Ｌ以下の量で含むことを特徴とする請求項４に記載の排気処理システム。
【請求項７】
ＮＯX及び粒子状物質を含む排気流を処理するための排気処理システムであって、
入口端と出口端を有する軸方向長さを有する粒子フィルター、及び
前記粒子フィルターから下流側に配置されたＮＯX還元触媒、
を有し、
前記粒子フィルターは、該粒子フィルターを通って流れる排気流中に含まれる粒子状物質を捕捉するための壁要素、及び点火酸化触媒組成物を有し、
該点火酸化触媒組成物は、前記粒子フィルターの入口端から出口端に向けて、壁部の軸方向長さよりも短い長さで伸びて入口領域を形成し、且つ３００℃未満の温度で火を付けるのに十分な量を有し、積極的再生法によって粒子フィルターに捕捉した煤を燃やすための発熱を定期的に発生させるものであり、及び
前記貴金属組成物が、少なくとも５６６．３３７ｇ／Ｌの積載量で存在し、そして前記貴金属組成物の広がりは、前記フィルターの軸方向長さの５０％未満の範囲内であることを特徴とする排気処理システム。
【請求項８】
前記粒子フィルターが、壁流モノリスを有し、
該壁流モノリスは、排気流内に配置され、及び縦方向に伸びる壁部によって境界付けられた、縦方向に伸びる複数の通路を有し、
該通路は、開口入口端と閉鎖出口端を有する入口通路、及び閉鎖入口端と開口出口端を有する出口通路を有し、
前記壁部は、多孔率が少なくとも４０％で、その平均孔径は、少なくとも５ミクロンであり、及び、
前記壁流モノリスは、前記壁部に浸透した点火酸化触媒組成物を有することを特徴とする請求項７に記載の排気処理システム。
【請求項９】
更に、前記ＮＯX還元触媒より下流側に配置されたＮＨ3破壊触媒を有することを特徴とする請求項８に記載の排気処理システム。
【請求項１０】
前記ＮＯX還元触媒が、希薄ＮＯX触媒を有することを特徴とする請求項８に記載の排気処理システム。
【請求項１１】
更に、還元剤導入ポートを、炭化水素還元剤と流体的に連結した状態で有し、前記還元剤導入ポートは、前記希薄ＮＯX触媒よりも上流側に配置されていることを特徴とする請求項１０に記載の排気処理システム。
【請求項１２】
前記ＮＯX還元触媒が、希薄ＮＯXトラップを有することを特徴とする請求項１０に記載の排気処理システム。
【請求項１３】
前記ＮＯX還元触媒が、ＳＣＲ触媒を有することを特徴とする請求項１０に記載の排気処理システム。
【請求項１４】
更に、ＳＣＲ触媒よりも上流側に配置された導入ポートを有し、該導入ポートは、アンモニア供給源又はアンモニア前駆体と流体的に連結していることを特徴とする請求項１３に記載の排気処理システム。
【請求項１５】
更に、導入ポートと流体的に連結している状態のインジェクターを有し、該インジェクターは、アンモニア又はアンモニア前駆体を排気流に、定期的に計量導入するように構成されていることを特徴とする請求項１４に記載の排気処理システム。
【請求項１６】
更に、ＳＣＲ触媒よりも下流側に配置されたＮＨ3破壊触媒を有することを特徴とする請求項１５に記載の排気処理システム。
【請求項１７】
更に、壁流モノリスの上流側に配置された発熱生成剤導入ポートを有し、該発熱生成剤導入ポートは、発熱生成剤と流体的に連結されており、そして壁流モノリス内に蓄積された粒子状物質を定期的に燃焼させるのに十分な温度を発生させることが可能であることを特徴とする請求項８に記載の排気処理システム。
【請求項１８】
発熱生成剤がディーゼル燃料を含むことを特徴とする請求項１７に記載の排気処理システム。
【請求項１９】
ＮＯX及び粒子状物質を含む排気流を処理するための排気処理システムであって、
排気流内に配置され、及び縦方向に伸びる壁部によって境界付けられた、縦方向に伸びる複数の通路を有する壁流モノリス、
前記壁流モノリスよりも下流側に配置されたＳＣＲ触媒、
アンモニア又はアンモニア前駆体を、前記ＳＣＲ触媒の上流側の排気流に投入するためのインジェクターを有し、
前記壁流モノリスの前記通路は、開口入口端と閉鎖出口端を有する入口通路、及び閉鎖入口端と開口出口端を有する出口通路を有し、
前記壁流モノリスの前記壁部は、多孔率が少なくとも４０％で、平均孔径は、少なくとも５ミクロンであり、及び
前記壁流モノリスは、貴金属組成物を含む点火酸化触媒組成物を有し、該点火酸化触媒組成物は、前記壁部に浸透し、及び入口端から出口端に向けて、前記壁部の軸方向長さよりも短い長さで伸びて入口領域を形成しており、及び
前記貴金属組成物が、少なくとも５６６．３３７ｇ／Ｌの積載量で存在し、そして前記貴金属組成物の広がりは、前記フィルターの軸方向長さの５０％未満の範囲内であり、及び前記貴金属組成物は、積極的再生の間、発熱を定期的に発生させることを特徴とする排気処理システム。
【請求項２０】
更に、前記ＳＣＲ触媒より下流側に配置されたＮＨ3破壊触媒を有することを特徴とする請求項１９に記載の排気処理システム。
【請求項２１】
前記壁流モノリスよりも上流側に配置された発熱生成剤インジェクターを有することを特徴とする請求項２０に記載の排気処理システム。
【請求項２２】
ディーゼルエンジンからの排気流を処理する方法であって、
粒子状物質を含む排気流内に、壁流モノリスを配置する手順、
ＮＯX還元触媒を前記壁流モノリスより下流側に配置する手順、及び
壁流モノリスの上流で、発熱生成剤を定期的に導入し、前記壁流モノリス内に捕捉した粒子状物質を積極的再生法によって燃焼させるのに十分な発熱を前記壁流モノリス内で発生させる工程を含み、
前記壁流モノリスは、縦方向に伸びる壁部によって境界付けられた、縦方向に伸びる複数の通路を有し、
該通路は、開口入口端と閉鎖出口端を有する入口通路、及び閉鎖入口端と開口出口端を有する出口通路を有し、
前記壁部は、多孔率が少なくとも４０％で、その平均孔径は、少なくとも５ミクロンであり、及び
前記壁流モノリスは、貴金属組成物を含む点火酸化触媒組成物を有し、該点火酸化触媒組成物は、前記壁部に浸透し、及び入口端から出口端に向けて、壁部の軸方向長さよりも短い長さで伸びて入口領域を形成しており、及び
前記貴金属組成物が、少なくとも５６６．３３７ｇ／Ｌの積載量で存在し、そして前記貴金属組成物の広がりは、前記フィルターの軸方向長さの５０％未満の範囲内であることを特徴とする方法。
【誤訳訂正２】
【訂正対象書類名】明細書
【訂正対象項目名】００１５
【訂正方法】変更
【訂正の内容】
【００１５】
要約
従って、本発明の実施の形態によれば、粒子フィルター(particulate filter)とＮＯX還元触媒を含む、排気処理システムが提供される。一つ以上の実施の形態では、所定の基材を含む粒子フィルターが設けられるが、上記基材は、フィルターを通って流れる排気流中に含まれる粒子状物質を捕捉するための通路と要素を有し、及び上記基材は、入口端と出口端を有し、上記入口端は、貴金属組成物を、その上に配置した状態で有し、上記貴金属組成物は、約３００℃未満の温度で、燃料に火を付け、及びフィルター内に捕捉された粒子状物質を燃焼処理させるために十分な熱を発生させるものである。一実施の形態では、上記貴金属が、少なくとも２０ｇ／ｆｔ3（５６６．３３７ｇ／Ｌ：１ｆｔ＝３０．４８ｃｍとして２０ｇ／ｆｔ3を換算）の積載量(loading amount)で存在し、そして上記フィルターの軸方向長さの５０％未満の範囲に広がっている。他の実施の形態では、上記貴金属が、少なくとも３０ｇ／ｆｔ3の積載量で存在し、そして上記フィルターの軸方向長さの５０％未満の範囲に広がっている。他の実施の形態では、上記貴金属が、少なくとも４０ｇ／ｆｔ3の積載量で存在し、そして上記フィルターの軸方向長さの５０％未満の範囲に広がっている。特定の実施の形態では、上記基材が、壁流モノリスの状態であり、この壁流モノリスは、縦方向に伸びる壁部によって境界付けられた、縦方向に伸びる通路を複数有し、上記通路は、開口入口端と閉鎖出口端を有する入口通路、及び閉鎖入口端と開口出口端を有する出口通路を有し、上記壁部は、多孔率が少なくとも４０％で、その平均孔径は、少なくとも５ミクロンであり、及び貴金属組成物が壁に浸透し、そして壁部の軸方向長さよりも短い長さで、入口端から出口端へと伸びて入口領域を形成している。
【誤訳訂正３】
【訂正対象書類名】明細書
【訂正対象項目名】００６３
【訂正方法】変更
【訂正の内容】
【００６３】
上記３種の条件から、ＮＯ2のＮＯに対する割合が１：１の場合、所望する「速い」又はより効果的なＳＣＲ反応が発生すると考えられ、そして、ＮＯ2のエンジン出口に対する相対量を増すために、酸化機能が必要であると考えられる。本発明の実施の形態に従えば、領域化された粒子フィルター上のＰＧＭは、この機能に貢献することができ、そして、このことを達成するために、ＰＧＭ積載量と割合の調整を使用できる。１：１の割合が、下流側ＳＣＲの最良の状態を与えると信じられている。ＮＯ2のレベルがより高いと、ＳＣＲ反応が遅くなる点で不利が生じる。ＬＮＴ運転（操作）について、エンジン出口ＮＯをできるだけＮＯ2に酸化することが必要である。この理由は、ＬＮＴは、主に硝酸塩(nitrate)としてＮＯXを吸収するからである。領域化したＣＳＦのＰＧＭ積載量と割合の調整により、このことが達成される。ＬＮＴ運転には、ＰＧＭ（ＰＧＭは、Ｐｔの状態が、全てではないにしても、最も多い）のより高い積載レベルが必要になると考えられる。このシステムに使用するための適切なＳＣＲ触媒の組成物は、６００℃未満の温度で、ＮＯX成分の還元に効果的な触媒作用を及ぼすことが可能であり、これにより（低い排気温度について積載量が低い条件下であっても）適切なＮＯXレベルを処理することができる。好ましくは、触媒物品は、システムに加えられた還元剤の量に依存して、少なくとも５０％のＮＯX成分をＮ2に変換することができる。この組成物のための更なる望ましい特性は、この組成物は、Ｏ2と如何なる過剰のＮＨ3とのＮ2及びＨ2Ｏへの反応に触媒作用を及ぼす機能を有し、これによりＮＨ3が大気に放出されないということである。本発明のシステムに使用される有用なＳＣＲ触媒組成物は、硫黄成分（硫黄成分は、ディーゼル排気ガス組成物中にしばしば存在する）に曝された場合に劣化に対する耐性を有しているべきである。